(57)【要約】【課題】携帯電話サービスエリア圏外で行ったアクセス予約データに基づき圏内復帰時に自動的にアクセス動作を開始し、既に番組放映時間が過ぎたり指定時間を過ぎた場合は前記アクセス予約データを自動消去し無駄なアクセスを排除する。【解決手段】テレビ受信可能エリアではあるが携帯電話サービスエリア圏外において、双方向テレビ受信の文字データ等にアクセス締め切り時間等のアクセス許容時間を付加しアクセス予約データとして保存することにより、例えばテレビ番組放映時間内に電話でアクセスすべき場合にはアクセス許容時間に番組終了時間を指定することで、圏内復帰時にまだ番組放映中であれば、音等でユーザーに報知し、アクセス予約データを表示し、電話番号を送信して通話することを可能とする。【選択図】        図１
2005318319.tif 000002
【特許請求の範囲】
【請求項１】
双方向テレビの指定宛先へのアクセスを行った場合、自動的に携帯電話網の圏内／圏外を識別し、圏外であればそのアクセス宛先データに対してタイムスタンプデータとユーザー入力のアクセス許容時間データとを付加したアクセス予約データを作成し、圏内復帰時に、現在時刻がアクセス許容時間内であれば、その宛先にアクセスすることを特徴とする双方向テレビ機能付き携帯情報端末装置。
【請求項２】
前記圏内復帰時に、現在時刻がアクセス許容時間外であれば、自動的にそのアクセス予約データを削除することを特徴とする請求項１記載の双方向テレビ機能付き携帯情報端末装置。
【請求項３】
アクセス予約データのアクセス時刻にユーザーに報知し、該報知に対しユーザーが応答しない場合、タイムスタンプデータを現在時刻より未来の時刻に自動更新することで、そのタイムスタンプの時間になると、再度、ユーザーに報知することを特徴とする請求項１または２記載の双方向テレビ機能付き携帯情報端末装置。
【請求項４】
アクセス予約データの宛先にアクセスする時、宛先がメールのように相手の応答が必要でないデータである場合は、それを識別しユーザーへ報知することなく自動送信するが、宛先が電話番号、ＵＲＬのように相手からの応答があるデータである場合は、それを識別し自動送信することなくユーザーへ報知することを特徴とする請求項１、２または３記載の双方向テレビ機能付き携帯情報端末装置。
【請求項５】
前記アクセス予約データは画像データ部ファイル及び文字データ部ファイルを含み、宛先が電話番号もしくはＵＲＬであるアクセス予約データの宛先にアクセスする時、表示部の画像データ表示画面にアクセス予約データの前記画像データ部ファイルを表示し、文字表示画面にアクセス予約データの前記文字データ部ファイルの文字データを表示することを特徴とする請求項１、２、３または４記載の双方向テレビ機能付き携帯情報端末装置。
【発明の詳細な説明】
【技術分野】
【０００１】
本発明は双方向テレビ機能付き携帯情報端末装置に関し、特に、携帯電話サービスエリア圏外における双方向テレビ機能における指定宛先へのアクセス予約に関する。
【従来の技術】
【０００２】
双方向テレビ機能付き携帯情報端末装置においては、双方向テレビの指定宛先のアクセス対象には、メール、電話及びインターネット等がある。また、アクセス期間は番組放映時間内や指定時間内等の制約があることが多い。また、双方向テレビの受信は可能でも携帯電話サービスエリアの圏外であるために指定宛先へのアクセスは必ずしも即座には可能でないこともある。また、従来のメール送信・インターネットアクセス機能付き携帯電話機では、メール送信時にサービスエリアが圏外であった場合、そのメール送信を一時保留しておき、圏内復帰時に自動送信することが行われている。
【発明の開示】
【発明が解決しようとする課題】
【０００３】
双方向テレビ機能付き携帯情報端末装置においては、テレビ受信可能エリアではあるが携帯電話サービスエリア圏外にあるという状況が起こりうるものであり、また、双方向テレビの指定宛先へのアクセス対象はメールに限定されるものではなく、電話やインターネットの場合もあり、アクセスしなければならない期間は番組放映時間内や指定の時間内であることも多いという特徴がある。
【０００４】
メール送信時においてサービスエリアが圏外であった場合は、そのメール送信を一時保留しておき、圏内復帰時に自動送信することは、従来のメール送信・インターネットアクセス機能付き携帯電話機において行われていたが、これは圏内に復帰した時点で送信登録したメールを全て送信するものであって、アクセス対象がメール以外にもあり且つアクセス期間に制約のある双方向テレビ機能付き携帯情報端末装置には適用可能なものではなかった。
【０００５】
本発明の目的は、テレビ受信可能エリアではあるが携帯電話サービスエリア圏外にある場合の指定宛先へのアクセス予約を可能とする双方向テレビ機能付き携帯情報端末装置を提供することにある。
【０００６】
本発明の目的は、携帯電話サービスエリア圏外で行ったアクセス予約データに基づき圏内復帰時に自動的にアクセス動作を開始し、既に番組放映時間が過ぎていたり指定時間を過ぎていた場合においては、前記アクセス予約データを自動消去し無駄なアクセスを排除することを可能とする双方向テレビ機能付き携帯情報端末装置を提供することにある。
【０００７】
本発明の目的は、アクセス予約データに期限情報としてのアクセス許可時間を付加することにより、圏内復帰した時点で期限内であればアクセス動作を開始し、期限外であればアクセス予約データを消去することを可能とする双方向テレビ機能付き携帯情報端末装置を提供することにある。
【課題を解決するための手段】
【０００８】
本発明の双方向テレビ機能付き携帯情報端末装置は、ユーザーが双方向テレビの指定宛先へのアクセス操作を行った場合、自動的に携帯電話網の圏内か圏外かを識別する機能と、圏外であれば当該指定宛先のアクセス宛先データに対してタイムスタンプデータとユーザーが入力した再アクセスを許容するアクセス締め切り時間のデータであるアクセス許容時間データとを付加したアクセス予約データを作成して格納する機能と、圏内復帰時に、現在時刻（当該時刻）が前記アクセス許容時間内であれば、前記アクセス予約データに付加された宛先にアクセスする機能と、を有することを特徴とする。また、前記圏内復帰時に、現在時刻がアクセス許容時間外であれば、自動的にそのアクセス予約データを削除する機能を有することを特徴とする。
【０００９】
また、前記発明において、前記アクセス予約データの宛先へのアクセス時刻にユーザーにアクセス操作を促す報知を行う機能、該報知にユーザーが応答しない場合、タイムスタンプデータを現在時刻より先（未来）の時刻に自動更新して格納することにより、そのタイムスタンプの時間になると、再度、ユーザーに報知を行う機能を有することを特徴とし、更に、前記アクセス予約データの宛先にアクセスする時、前記宛先がメールのように相手からの応答が必要とされないデータである場合は、それを識別し前記報知を行うことなく自動送信するが、前記宛先が電話番号、ＵＲＬのように相手からの応答があるデータである場合は、それを識別し自動送信することなく前記報知を行う機能を有することを特徴とし、更に、前記アクセス予約データは画像データ部ファイル及び電話番号もしくはＵＲＬの宛先を含む文字データ部ファイルからなり、前記アクセス予約データの電話番号もしくはＵＲＬの宛先にアクセスする時、表示部の画像（映像）データ表示画面にアクセス予約データの前記画像データ部ファイルを表示し、文字表示画面にアクセス予約データの前記文字データ部ファイルの文字データを表示する機能を有することを特徴とする。
【００１０】
より具体的には本発明は、デジタル放送のテレビ受信データとして画像データ、音声データ以外に、返信用の電話番号もしくはＵＲＬもしくはメールアドレス等の文字データを含んだデータを受信する機能を備え、そして、その文字データを指定することでその電話番号もしくはＵＲＬもしくはメールアドレス等の双方向テレビの指定宛先に携帯電話送信部によりアクセスを行う携帯情報端末機であって、携帯電話がサービスエリア圏外にいる場合、宛先データや画像データ、文字データをアクセス許容時間データと共に保存し、圏内復帰時にアクセス許容時間データからアクセス有効性を判別し、自動的に消去もしくは報知し送信することを特徴としている。
【００１１】
更に、表示中の画像データ、文字データを切り出し、そのデータにタイムスタンプおよびユーザー入力のアクセス許容時間のデータを付加し、記憶部にアクセス予約データとして保存する時間登録部と、記憶部に保存したアクセス予約データをタイムスタンプ順に呼び出し、現在時刻とアクセス許容時間とを比較する時間比較部とを備え、許容時間を過ぎたデータであれば削除し、許容時間内のデータであれば報知／送信する。
【００１２】
このようにして、本願発明では、テレビ受信可能エリアではあるが携帯電話サービスエリア圏外において、テレビ受信の文字データに存在する宛先に通信する場合、現在表示中の画像データ、文字データを切り出し、そのデータにアクセス締め切り時間としてのアクセス許容時間をつけて保存することにより、例えばテレビ番組放映時間内に電話でアクセスすべき場合には、アクセス許容時間として番組終了時間を指定することで、携帯電話通信圏内復帰時にまだ番組放映中であれば、音、光、振動等でユーザーに報知し、アクセス予約データを表示し、電話番号を送信することにより通話することができる。また、携帯電話通信の圏内復帰時に番組終了時刻を過ぎてしまっていれば、アクセス予約データをユーザー操作なく自動消去することができる。また、前記報知に対するユーザーの応答をまって電話番号を送信して通話するようにし、ユーザーが報知に無応答の場合にはタイムスタンプを所定時間進ませることにより、アクセス動作を再度開始することを可能とする。
【発明の効果】
【００１３】
本発明は以上のような機能ないし手段を有することにより次のように利便性が著しく向上する。すなわち、  
本発明によれば、テレビ受信可能エリアであっても携帯電話サービスエリア圏外の場合にアクセス予約が可能であるとともに、双方向テレビの受信におけるアクセス予約データにアクセス許容時間として、ユーザーがアクセス締め切り時間等を考慮し任意に保存データ廃棄時間を入力（データ付加）できるので、携帯電話サービスエリアの圏外から圏内に復帰した時、アクセス許容時間内の（アクセス締め切り時間を過ぎていない）データに基づいてのみアクセスすることができ、アクセス許容時間を過ぎたデータは自動的に消去することが可能である。
【００１４】
また、宛先情報の種別を判別する機能を設けたことで、メール等のユーザーが応答しなくても良い片方向アクセスのアクセス予約データと、電話やインターネットアクセス等のユーザー応答が必要な双方向アクセスのアクセス予約データとを区別でき、携帯電話サービスエリアの圏外から圏内に復帰した時、メールはユーザーに通知することなく自動送信し、電話やインターネットアクセスをするデータの場合は、ユーザーに報知・データ表示されるのでユーザーが即座にアクセス可能である。
【００１５】
更に、双方向テレビで受信した文字データの宛先にアクセスする際、携帯電話の受信レベルを測定し、圏外か圏内か判断しているので、圏外状態であれば、宛先へ無駄にアクセスしないようにすることが可能である。
【００１６】
また、アクセス予約データにタイムスタンプを付加し、アクセスを促す報知に対してユーザーが何らかの理由で応答しなかった場合には、タイムスタンプを一定時間後に更新させることにより、当該アクセス予約データによる再度のアクセスを可能とする。
【発明を実施するための最良の形態】
【００１７】
（構成の説明）
図１は、本発明の一実施の形態としての双方向テレビ機能付き携帯情報端末装置を示す図である。
【００１８】
本実施の形態は、携帯電話網からデータを受信および送信するための携帯電話用アンテナ１と、アンテナ１から受信または送信するデータをそれぞれ復調または変調する携帯電話送受信部２と、アンテナ１から受信した電波より下り信号の受信レベルを検出するレベル検出部７と、テレビ放送局から送信されるデジタル放送電波をキャッチするテレビアンテナ３と、テレビアンテナ３から受信した信号の復調やその信号から映像・音声・文字データの分離等を行うテレビ受信部４と、ＴＶ受信部４で分離した画像データと文字データ等を表示する表示部６と、本携帯情報端末装置の各種動作の制御を行う制御部５と、カーソル／ポインタの移動やアクセス締め切り時間に相当するアクセス許容時間などのデータ入力を行うキー入力部１２と、文字データ中の宛先情報が電話番号かＵＲＬかメールアドレスかを判別する宛先データ判別部１３と、表示中のテレビ画像データ、文字データを切り出し、タイムスタンプおよびユーザー入力のアクセス許容時間を前記データに付加する時間登録部９と、時間登録部９で作成したデータをアクセス予約データとして保存しておく記憶部８と、記憶部８に保存したアクセス予約データを呼び出し、現在時刻とデータに付加したアクセス許容時間とを比較する時間比較部１０と、時間比較部１０で比較した結果、現在時刻がアクセス許容時間内であった場合、文字データにある宛先にアクセスするために、ユーザーに音、光、振動、表示等で知らせる報知部１１とから成る。
（動作の説明）
図２、図３は本実施の形態の動作のフローチャートを示す図であり、図４は表示画面の表示の一例を示す図である。図１に示す双方向テレビ機能付き携帯情報端末装置の動作を図２〜４を参照して以下説明する。
【００１９】
本実施の形態の携帯情報端末装置は、テレビアンテナ３においてテレビ放送局から送信されるデジタル放送電波をキャッチすると、テレビ受信部４はデジタル放送電波に画像（映像）データと、文字データが含まれている場合はこれら画像（映像）データと文字データとを分離し表示部６に表示する（Ｓ１０１）。
【００２０】
図４に示すように、映像データは画像（映像）データ表示画面に表示し、文字データは文字データ表示画面に表示する。音声データについては、本発明と直接的な関係がないため説明を省略する。
【００２１】
もし受信したテレビデータに文字データが含まれており、その文字データに電話番号、ＵＲＬ、メールアドレス等の宛先を示すデータがあり、ユーザーがその宛先にアクセスする場合は、キー入力部１２を操作することによりカーソルやポインタをその宛先の箇所まで移動させ、決定キー等を押下し宛先を決定しアクセスを指示する（Ｓ１０２−Ｙｅｓ）。
【００２２】
例えば、テレビ・ショッピングを例に挙げると、文字情報データとして注文先の電話番号を受信した場合、表示部６の文字データ表示面に電話番号が表示される。ここでユーザーが商品の購入のためにその電話番号にアクセスする場合は、その電話番号をキー入力部１２で指定し、決定キー等の押下により決定する。その後、双方向テレビ機能付き携帯情報端末装置は携帯電話用アンテナ１で自局制御チャネル信号を受信すると、該自局制御チャネル信号をレベル検出部７に送り、携帯電話信号の受信レベルを測定する（Ｓ１０３）。
【００２３】
レベル検出部７では、入力した携帯電話信号の受信レベルを測定し、この測定値と、本実施の形態で携帯電話サービスエリア圏外・圏内を分ける受信レベルに関し初期登録してある既知の閾値とを比較する（Ｓ１０４）。比較した結果、受信レベル値が該閾値以下であった場合（圏外であった場合）（Ｓ１０４−Ｎｏ）、ステップＳ１０２で決定した宛先へのアクセスは不可能なため、表示部６に時刻情報を入力する時刻設定入力画面を表示させ、ユーザーが時刻設定入力画面にアクセス許容時間をキー入力部１２より入力可能とする（Ｓ１０５）。このアクセス許容時間は、この時間以内に携帯情報端末装置が圏内復帰した場合に再アクセスを可能とする時間情報である。
【００２４】
テレビ・ショッピングの場合で言えば、ユーザーはアクセス許容時間として電話注文締切時刻を入力することができる。ユーザーによるこのアクセス許容時間が入力されると、その時刻以内で圏内復帰すると、後述する処理により自動的なアクセスが開始される。
【００２５】
次に、宛先データ判別部１３は、指定した宛先が電話番号もしくはＵＲＬアドレスであるか、または、メールアドレスであるか否かを判別する（Ｓ１０６）。もし、指定した宛先が電話番号もしくはＵＲＬデータであれば（Ｓ１０７−Ｙｅｓ）、時間登録部９にて、表示部６で表示している映像データのその時点の画像データと文字データを切り出し、現在時刻のタイムスタンプおよびユーザー入力したアクセス許容時間をそのデータに付加し、記憶部８にアクセス予約データとして保存し（Ｓ１０８）、テレビデータ受信画面に戻る（Ｓ１０１）。また、もし、指定した宛先がメールアドレスであれば（Ｓ１０７−Ｎｏ、Ｓ１０９−Ｙｅｓ）、ユーザーによりメール本文を作成し、このメールデータに現在時刻のタイムスタンプおよびユーザー入力したアクセス許容時間を付加した後、記憶部８にアクセス予約データとして保存し（Ｓ１１０）、テレビデータ受信画面に戻る（Ｓ１０１）。
【００２６】
図５は記憶部８に保存するアクセス予約データのデータ構成の一例を示す図である。キー入力部１２で決定した宛先データが電話番号もしくはＵＲＬの場合、アクセス予約データとして、文字データ部ファイルと画像データ部ファイルを作成し、文字データ部ファイルと画像データ部ファイルの識別は拡張子にて行い、タイムスタンプデータ、アクセス許容時間データの付加は、文字データ部ファイルに対して行い、宛先データには、キー入力部１２で決定した宛先データを格納する。宛先データの後には、文字データ表示面に表示されていた文字データを格納する。また、キー入力部１２で決定した宛先がメールアドレスの場合、宛先データ（この場合は、メールアドレス）の後にメール本文を付加する。また、メールアドレスの場合は、アクセス予約データとして画像データは保存しない。
【００２７】
以上のステップＳ１０１からのユーザーの操作による処理は双方向ＴＶデータの同様な受信状態により繰り返し可能であり、記憶部８には複数のアクセス予約データを保存することが可能である。
【００２８】
次に、ステップＳ１０２において、ユーザーによる宛先へのアクセスの操作が行われず（Ｓ１０２−Ｎｏ）、携帯電話サービスエリアが圏内にある（又は圏内復帰）すると（Ｓ１１１、Ｓ１１２−Ｙｅｓ）、制御部５は、記憶部８にアクセス予約データが保存されているか否かを確認をする（図３のＳ２０２）。なお、ステップＳ１１２で圏外の場合はテレビデータ受信画面に戻る（Ｓ１０１）。もし、アクセス予約データが保存されていれば（Ｓ２０２−Ｙｅｓ）、時間比較部１０は、タイムスタンプの一番古いデータを読み込み、現在時刻と、データに付加されているアクセス許容時間との比較を行う（Ｓ２０３）。比較した結果、現在時刻がアクセス許容時間を過ぎていれば（Ｓ２０３−Ｎｏ）、記憶部８に保存してあるそのアクセス予約データを削除し（Ｓ２１０）、ステップＳ２０２に戻る。
【００２９】
また、現在時刻がアクセス許容時間以内であれば（Ｓ２０３−Ｙｅｓ）、宛先データ判別部１３は、アクセス予約データの宛先データが電話番号もしくはＵＲＬであるか、または、メールデータであるかを判別する（Ｓ２０４）。もし、宛先データがメールアドレスであれば（Ｓ２０５−Ｎｏ、Ｓ２１１−Ｙｅｓ）、宛先データにあるメールアドレスデータおよびメール本文データを携帯電話送受信部２に送り、携帯電話用アンテナ１から携帯電話網へ自動送信する。そして制御部５は、記憶部８に保存中のこの送信完了したアクセス予約データを削除し（Ｓ２１２）、ステップＳ２０２に戻る。
【００３０】
もし、宛先データが電話番号もしくはＵＲＬデータであれば（Ｓ２０５−Ｙｅｓ）、報知部１１より、音、光、振動、表示等でユーザーに操作を促すために報知し（Ｓ２０６）、表示部６の画像（映像）データ表示画面にはアクセス予約データの画像データ部ファイルを表示し、文字表示画面にはアクセス予約データの文字データ部ファイルの文字データを表示する（Ｓ２０７）。ユーザーがキー入力部１２でカーソルもしくはポインタを文字表示画面の宛先位置まで移動し、決定キー等を押下することにより決定すると、決定した電話番号もしくはＵＲＬデータは携帯電話送受信部２に送られ、携帯電話用アンテナ１を介して携帯電話網へ送信される。そして、電話番号先の相手もしくはＵＲＬの示すアドレスにアクセスする（Ｓ２０８）。
【００３１】
そしてこのアクセス状態はユーザーによるキー入力部１２での終了キー等の押下で終了し、制御部５は、記憶部８に保存中のこのアクセスを終了したアクセス予約データを削除する（Ｓ２０９）。その後再び、記憶部８にアクセス予約データがまだ保存されているか否かを確認をする（Ｓ２０２）。
【００３２】
もし、アクセス予約データがまだ保存されていれば（Ｓ２０２−Ｙｅｓ）、上記同様の動作を繰り返し行う。また、アクセス予約データがもう保存されていなければ（Ｓ２０２−Ｎｏ）、テレビデータ受信画面に戻る（Ｓ１０１）。  
【００３３】
また、図２において携帯電話サービスエリア圏内で双方向テレビ受信の文字データにある宛先にアクセスする場合は、上記と同様にステップＳ１０１からステップＳ１０４の動作を行い、携帯電話サービスエリア圏内であるので（Ｓ１０４−Ｙｅｓ）、宛先が電話番号もしくはＵＲＬの時はその宛先データを携帯電話送受信部２に送り、メールアドレスの時はメール本文を作成しメールアドレスとその作成本文データを携帯電話送受信部２に送り、携帯電話用アンテナ１から携帯電話網へ送信してアクセスし（Ｓ１１３）、キー入力部１２から終了キー等を押下することで、電話番号・ＵＲＬへのアクセス通信は終了する（Ｓ１１４）。このアクセスの終了後も制御部５は、記憶部８にアクセス予約データが保存されているか確認をするステップＳ２０２以降の前述の処理を制御する。
【００３４】
（他の実施の形態）
本発明の第２の実施の形態はその基本的構成は第１の実施の形態と同様であるが、携帯電話サービスエリア圏外から圏内に復帰時のアクセス予約データの送信動作時、ユーザーに報知した際に一定時間以内のユーザーの応答を待って実行し、この時間内に応答がない場合にはタイムスタンプを所定時間後に書き換えることにより、再度のアクセス動作を可能に構成したものである。
【００３５】
図６は第２の実施の形態の構成を示す図であり、図７は第２の実施の形態の動作のフローチャートを示す図である。図６に示す構成は図１に示す実施の形態の構成に、タイムスタンプデータの新規生成・書き換えを行うタイムスタンプ書き換え部１４と、アクセス予約データのタイムスタンプと現在時刻との比較を行うタイムスタンプ比較部１５を追加した構成とし、また、図７に示すフロ−チャートは図３のフローチャートに、前記ユーザーの応答がない場合のタイムスタンプを所定時間後に書き換える処理のステップ３０２〜３０４と、この書き換えステップ３０２〜３０４の追加によりタイムスタンプが過去の時刻か否かによりアクセス予約データの扱いを振り分ける処理のステップ３０１を追加した構成としたものである。その他の構成、処理については、第１の実施の形態と同様である。
【００３６】
第２の実施の形態の動作は、図２に示す第１の実施の形態の動作部分については同様であり、以下、受信レベルが閾値より大きくなった場合の記憶部８に保存中のアクセス予約データの処理に関する動作を中心に図７により説明する。
【００３７】
図７に示すフロ−チャートは、図２に示す受信レベルが閾値より大きいためユーザーが電話番号、インターネット通信又はメール送信によるアクセスを終了（Ｓ１１４）した後、またはユーザーがアクセスしない場合（Ｓ１０２−Ｎｏ）に行われる処理に関する。制御部５は、第１の実施の形態の場合と同様に記憶部８にアクセス予約データが存在するか否かを確認し（Ｓ２０２）、存在すれば（Ｓ２０２−Ｙｅｓ）、タイムスタンプ比較部１５は、タイムスタンプの一番古いデータを読み込み、現在時刻とそのデータのタイムスタンプとの比較を行う（Ｓ３０１）。比較した結果、タイムスタンプが現在時刻より古ければ（Ｓ３０１−Ｙｅｓ）、第１の実施の形態と同様の処理ステップＳ２０３〜Ｓ２０６、Ｓ２１０、Ｓ２１１〜Ｓ２１２の動作を行う。タイムスタンプが現在時刻より新しければ（Ｓ３０１−Ｎｏ）、ステップＳ２０２に戻り同様の処理を繰り返し、アクセス予約データが存在しなければ（Ｓ２０２−Ｎｏ）、テレビデータ受信画面に戻る（Ｓ１０１）。
【００３８】
また、アクセス予約データが存在しそのタイムスタンプが現在時刻より古く（Ｓ３０１−Ｙｅｓ）、且つアクセス許容時間以内であり（Ｓ２０３―Ｙｅｓ）、送信情報（宛先）の種別が電話番号またはＵＲＬの場合（Ｓ２０４、Ｓ２０５−Ｙｅｓ）、ユーザーに報知を行った後（Ｓ２０６）、ユーザーが応答した場合（Ｓ３０２−Ｙｅｓ）は第１の実施の形態と同様の動作（Ｓ２０７〜Ｓ２０９）を行い、ユーザーが応答しない場合（Ｓ３０３−Ｎｏ）、タイムスタンプを書き換え（Ｓ３０３）、データを保存して（Ｓ３０４）、ステップＳ２０２に戻る。
【００３９】
具体的には、時間比較部１０は、タイムスタンプの一番古いデータを読み込み、現在時刻と、データに付加されているアクセス許容時間との比較を行い（Ｓ２０３）、アクセス許容時間内の場合、宛先データ判別部１３で、アクセス予約データの宛先データが電話番号もしくはＵＲＬであるか、または、メールデータであるかを判別し（Ｓ２０４）、宛先データが電話番号もしくはＵＲＬデータであった場合（Ｓ２０５−Ｙｅｓ）、報知部１１より、音、光、振動、表示等でユーザーにアクセス予約データの送信について一定時間報知する（Ｓ２０６）。
【００４０】
この一定時間の報知を続けている間に、ユーザーがキー入力部１２の応答キーを押下した場合（Ｓ３０２−Ｙｅｓ）、第１の実施の形態と同様に、表示部６にアクセス予約データの画像データ及び文字データを表示し（Ｓ２０７）。ユーザーがキー入力部１２から決定した電話番号もしくはＵＲＬデータは携帯電話送受信部２に送られ携帯電話網へ送信される。そして、電話番号先の相手もしくはＵＲＬの示すアドレスにアクセスする（Ｓ２０８）。このアクセス状態はユーザーによるキー入力部１２で終了し、制御部５は、記憶部８に保存中のこのアクセスを終了したアクセス予約データを削除し（Ｓ２０９）、ステップＳ２０２に戻る動作を行う。
【００４１】
また、一定時間の報知の間にユーザーが応答しなかった場合（Ｓ３０２−Ｎｏ）、アクセス予約データをタイムスタンプ書き換え部１４に送り、文字データ部ファイルのタイムスタンプを書き換える（Ｓ３０３）。書き換えるタイムスタンプは、現在時刻ではなく、現在時刻に予め初期設定されている所定時間（再通知時間）を足した時刻とする。
【００４２】
例えば、再通知時間として１０分が設定してあれば、現在時刻＋１０分の時刻が新たなタイムスタンプデータとして書き換えられる。タイムスタンプを書き換えた後、制御部５は、そのアクセス予約データを記憶部８に上書き保存し（Ｓ３０４）、ステップＳ２０２に戻る。
【００４３】
このように、本実施の形態では、タイムスタンプを現在時刻と比較処理しているので、タイムスタンプの書き換えによって、タイムスタンプが現在時刻＋所定時間（例えば１０分）の時刻にした場合、該所定時間後に再度アクセスのための報知を行う動作が行われ、これにより確実なアクセス動作を実現可能である。
【図面の簡単な説明】
【００４４】
【図１】本発明の一実施の形態としての双方向テレビ機能付き携帯情報端末装置を示す図である。
【図２】本実施の形態の動作のフローチャートを示す図である。
【図３】本実施の形態の動作のフローチャートを示す図である。
【図４】表示画面の表示の一例を示す図である。
【図５】記憶部に保存するアクセス予約データのデータ構成の一例を示す図である。
【図６】第２の実施の形態の構成を示す図である。
【図７】第２の実施の形態の動作のフローチャートを示す図である。
【符号の説明】
【００４５】
１  携帯電話用アンテナ
２  携帯電話送受信部
３  テレビアンテナ
４  テレビ受信部
５  制御部
６  表示部
８  記憶部
９  時間登録部
１０  時間比較部
１１  報知部
１２  キー入力部
１３  宛先データ判別部
１４  タイムスタンプ書き換え部
１５  タイムスタンプ比較部
【図１】
2005318319.tif 000003
【図２】
2005318319.tif 000004
【図３】
2005318319.tif 000005
【図４】
2005318319.tif 000006
【図５】
2005318319.tif 000007
【図６】
2005318319.tif 000008
【図７】
2005318319.tif 000009